(57)【要約】    【課題】  洗浄力、保存安定性に優れ、且つ起泡性が少なく、優れた漂白性能を有する、業務用として好適な、衣料用粉末洗浄剤組成物を提供する。    【解決手段】  （Ａ）特定のポリオキシアルキレンエーテル型非イオン性界面活性剤、（Ｂ）水溶性キレート剤、（Ｃ）アルカリ剤、及び（Ｄ）漂白成分を、それぞれ特定範囲で含有する衣料用粉末洗浄剤組成物。【選択図】  なし【特許請求の範囲】
【請求項１】
（Ａ）下記一般式（Ｉ）で表される非イオン界面活性剤１〜２０重量％、（Ｂ）水溶性キレート剤１〜２０重量％、（Ｃ）アルカリ剤３０〜９７重量％、及び（Ｄ）漂白成分１〜３０重量％を含有する衣料用粉末洗浄剤組成物。
Ｒ1−Ｏ−(ＥＯ)p−(ＰＯ)q−(ＥＯ)r−Ｈ        （Ｉ）
〔式中、Ｒ1は平均炭素数８〜１８のアルキル基又はアルケニル基を示し、ＥＯはオキシエチレン基、ＰＯはオキシプロピレン基を示す。ｐ、ｑ、ｒはそれぞれ平均付加モル数を表し、ｐ＞０、ｒ＞０、ｑ＝１〜６であり、且つｐ＋ｒ＝４〜２０である。〕
【請求項２】
（Ｂ）水溶性キレート剤が、エチレンジアミンテトラ酢酸、ヒドロキシエチルエチレンジアミントリ酢酸、ジエチレントリアミンペンタ酢酸、ニトリロトリ酢酸、トリエチレンテトラミンヘキサ酢酸、ホスホン酸、トリポリリン酸、エチレングリコールビス（２−アミノエチルエーテル）テトラ酢酸、クエン酸、マレイン酸、ＤＬ−アラニン−Ｎ，Ｎ−ジ酢酸、アスパラギン酸−Ｎ，Ｎ−ジ酢酸、グルタミン酸−Ｎ，Ｎ−ジ酢酸、セリン−Ｎ，Ｎ−ジ酢酸、ポリアクリル酸、イソアミレン−マレイン酸共重合体、アクリル酸−マレイン酸共重合体、アクリル酸−メタクリル酸共重合体、ケイ酸、グルコン酸、ヒドロキシベンジルイミノジ酢酸、イミノジ酢酸、及びこれらの塩から選ばれる一種以上である請求項１記載の衣料用粉末洗浄剤組成物。
【請求項３】
（Ｃ）アルカリ剤が、アルカリ金属又はアルカリ土類金属の水酸化物、珪酸塩及び炭酸塩から選ばれる一種以上である請求項１又は２記載の衣料用粉末洗浄剤組成物。
【請求項４】
（Ｄ）漂白剤成分が、過炭酸ナトリウム及び過ホウ酸ナトリウムから選ばれる一種以上である請求項１〜３の何れか１項記載の衣料用粉末洗浄剤組成物。
【発明の詳細な説明】
【技術分野】
【０００１】
本発明は、衣料用粉末洗浄剤組成物に関し、特に業務用のランドリー用粉末洗浄剤組成物に関する。
【背景技術】
【０００２】
クリーニング業には、普通クリーニング店、リネンサプライなどの業態がある。このうち、普通クリーニング店は、自家処理施設を有し、主として家庭から出される洗濯物を扱うクリーニング店を指し、非水系の溶剤を用いたドライクリーニングと水洗いによるランドリークリーニングとが行われる。また、リネンサプライは、総務庁の日本標準産業分類の定義によると、「繊維製品を洗濯し、これを使用させるために貸与し、その使用後回収して洗濯し、さらにこれを貸与することを繰り返して行う」事業となっている。リネンサプライ業者が取り扱う対象物は、色白のものが多く、清潔感が極めて重要であり、場合によっては消毒も施されるため、リネンサプライ業者は一般家庭の洗濯物を扱う普通クリーニング業者とは区別されている。
【０００３】
こうしたクリーニング業で取り扱われる衣類は、カッターシャツ等の白物が多く、その洗浄に際しては、洗剤以外に漂白剤を併用するのが一般的である。しかし、洗剤と漂白剤を別々に入れることは作業性が悪くなるため、漂白剤入りの洗剤が求められている。また、このような業務用のランドリー洗剤に求められる性能としては、洗浄性のみならず、濯ぎ性が挙げられる。その為には、洗浄力が高く、泡立ち性が低く、さらには高い生分解性が求められる。
【０００４】
特許文献１には、特定の非イオン界面活性剤を含有し、泡消えが速く、高洗浄力を有する界面活性剤組成物が開示されている。また、特許文献２には、特定の非イオン界面活性剤、水溶性キレート剤、アルカリ剤を含有するリネンサプライ用洗浄剤組成物が開示されている。
【特許文献１】国際公開第９８／２４８６４号パンフレット
【特許文献２】特開２００２−１３８２９８号公報
【発明の開示】
【発明が解決しようとする課題】
【０００５】
本発明の課題は、洗浄力、保存安定性に優れ、且つ起泡性が少なく、優れた漂白性能を有する、業務用として好適な、衣料用粉末洗浄剤組成物を提供することである。
【課題を解決するための手段】
【０００６】
本発明は、（Ａ）下記一般式（Ｉ）で表される非イオン界面活性剤〔以下、（Ａ）成分という〕１〜２０重量％、（Ｂ）水溶性キレート剤〔以下、（Ｂ）成分という〕１〜２０重量％、（Ｃ）アルカリ剤〔以下、（Ｃ）成分という〕３０〜９７重量％、及び（Ｄ）漂白成分〔以下、（Ｄ）成分という〕１〜３０重量％を含有する衣料用粉末洗浄剤組成物に関する。
Ｒ1−Ｏ−(ＥＯ)p−(ＰＯ)q−(ＥＯ)r−Ｈ        （Ｉ）
〔式中、Ｒ1は平均炭素数８〜１８のアルキル基又はアルケニル基を示し、ＥＯはオキシエチレン基、ＰＯはオキシプロピレン基を示す。ｐ、ｑ、ｒはそれぞれ平均付加モル数を表し、ｐ＞０、ｒ＞０、ｑ＝１〜６であり、且つｐ＋ｒ＝４〜２０である。〕
【発明の効果】
【０００７】
本発明によれば、洗浄力、保存安定性に優れ、且つ起泡性が少なく、優れた漂白性能を有する、業務用として好適な、衣料用粉末洗浄剤組成物が得られる。本発明の組成物は、業務用洗濯機を用いる水系クリーニング（業務用ランドリー）用の洗浄剤組成物として好適である。
【発明を実施するための最良の形態】
【０００８】
＜（Ａ）成分＞
（Ａ）成分の一般式（Ｉ）において、Ｒ1の平均炭素数は１０〜１４が好ましい。また、ｐは２〜１０、特に２〜７、ｒは２〜１０、特に３〜７、ｑは１〜５が好ましく、ｐ＋ｒは５〜１５、特に５〜１２が好ましく、ｐ＋ｑ＋ｒは５〜２０、更に７〜１７、特に７〜１５が好ましい。この範囲では、洗浄力に優れ起泡性が少ないという、業務用の洗浄剤組成物の目的により好適となる。
【０００９】
＜（Ｂ）成分＞
洗浄力向上のために用いられる（Ｂ）成分としては、エチレンジアミンテトラ酢酸、ヒドロキシエチルエチレンジアミントリ酢酸、ジエチレントリアミンペンタ酢酸、ニトリロトリ酢酸、トリエチレンテトラミンヘキサ酢酸、ホスホン酸、トリポリリン酸、エチレングリコールビス（２−アミノエチルエーテル）テトラ酢酸、クエン酸、マレイン酸、ＤＬ−アラニン−Ｎ，Ｎ−ジ酢酸、アスパラギン酸−Ｎ，Ｎ−ジ酢酸、グルタミン酸−Ｎ，Ｎ−ジ酢酸、セリン−Ｎ，Ｎ−ジ酢酸、ポリアクリル酸、イソアミレン−マレイン酸共重合体、アクリル酸−マレイン酸共重合体、アクリル酸−メタクリル酸共重合体、ケイ酸、グルコン酸、ヒドロキシベンジルイミノジ酢酸、イミノジ酢酸、及びこれらの塩から選ばれる一種以上が好ましい。なかでも、エチレンジアミンテトラ酢酸、ニトリロトリ酢酸、トリポリリン酸、及びこれらの塩から選ばれる一種以上が好ましい。
【００１０】
＜（Ｃ）成分＞
洗浄力向上のために用いられる（Ｃ）成分としては、アルカリ金属又はアルカリ土類金属の水酸化物、珪酸塩及び炭酸塩から選ばれる一種以上が好ましい。アルカリ金属又はアルカリ土類金属の水酸化物としては、水酸化ナトリウム、水酸化カリウム、水酸化カルシウム等が挙げられる。珪酸塩としては、１号珪酸ナトリウム、２号珪酸ナトリウム、３号珪酸ナトリウム、オルト珪酸ナトリウム、メタ珪酸ナトリウム等の珪酸ナトリウム、珪酸カリウム、珪酸カルシウム、珪酸マグネシウム等が挙げられる。炭酸塩としては、炭酸ナトリウム、セスキ炭酸ナトリウム、炭酸カリウム等が挙げられる。また、ホウ酸ナトリウム等の硼酸塩を用いることもできる。
【００１１】
（Ｃ）成分としては、炭酸塩、珪酸塩が好ましく、特に好ましくは炭酸ナトリウム、珪酸ナトリウムである。
【００１２】
＜（Ｄ）成分＞
（Ｄ）成分としては、過硼酸ナトリウム等の過硼酸塩、過炭酸ナトリウム等の過炭酸塩、芒硝／食塩／Ｈ2Ｏ2付加体、尿素／Ｈ2Ｏ2／石こう付加体、モノ過硫酸カリウムなどの無機過酸化物、ドデカンジ過酸（ＤＰＤＡ）、モノ過フタル酸（モノ過フタル酸マグネシウム塩・６水塩として市販されている）などの有機過酸化物、及び次亜塩素酸塩、塩素化イソシアヌル酸などの塩素系漂白剤、等が挙げられる。なかでも、過炭酸ナトリウム及び過ホウ酸ナトリウムから選ばれる一種以上が好ましい。
【００１３】
＜衣料用粉末洗浄剤組成物＞
本発明の衣料用粉末洗浄剤組成物は、（Ａ）成分を１〜２０重量％、好ましくは５〜１５重量％、より好ましくは１０〜１５重量％、（Ｂ）成分を１〜２０重量％、（Ｃ）成分を３０〜９７重量％、好ましくは４０〜８０重量％、より好ましくは５０〜７０重量％、（Ｄ）成分を１〜３０重量％、好ましくは１〜３０重量％、より好ましくは５〜２０重量％含有する。
【００１４】
本発明の衣料用粉末洗浄剤組成物は、洗浄性と保存安定性の観点から、硫酸塩及びリン酸塩から選ばれる一種以上〔以下、（Ｅ）成分という〕を含有することができる。硫酸塩としては、硫酸ナトリウム、硫酸カリウム、硫酸カルシウム、硫酸マグネシウム、硫酸アンモニウム等が挙げられる。また、リン酸塩としては、第２リン酸ナトリウム、第３リン酸ナトリウム、ピロリン酸ナトリウム、ピロリン酸カリウム、リン酸水素２カリウム、リン酸水素３カリウム等が挙げられる。（Ｅ）成分の含有量は、本発明の衣料用粉末洗浄剤組成物中、５〜３０重量％、更に１０〜２０重量％が好ましい。
【００１５】
本発明の衣料用粉末洗浄剤組成物は、漂白性能向上の観点から、下記一般式（Ｆ１）で示される化合物及び下記一般式（Ｆ２）で表される化合物から選ばれる一種以上の漂白剤前駆体〔以下、（Ｆ）成分という〕を含有することができる。
【００１６】
【化１】
2006306969.tif 000002
【００１７】
〔式中、Ｒ1は、直鎖もしくは分岐鎖の炭素数８〜１７のアルキル基、Ｍは無機性又は有機性の陽イオンである。〕
【００１８】
【化２】
2006306969.tif 000003
【００１９】
（Ｆ）成分の含有量は、本発明の衣料用粉末洗浄剤組成物中、０．１〜５重量％、更に２〜５重量％が好ましい。
【００２０】
また、本発明の衣料用粉末洗浄剤組成物は、（Ａ）成分以外の界面活性剤を含有し得る。（Ａ）成分以外の界面活性剤としては、非イオン界面活性剤、陽イオン界面活性剤、両性界面活性剤及び陰イオン界面活性剤から選ばれる一種以上が好ましい。
【００２１】
非イオン界面活性剤としては、ソルビタン脂肪酸エステル、ポリオキシアルキレンソルビタン脂肪酸エステル、ポリオキシアルキレン脂肪酸エステル、グリセリン脂肪酸エステル、ポリオキシアルキレングリセリン脂肪酸エステル、ポリグリセリン脂肪酸エステル、ポリオキシアルキレンポリグリセリン脂肪酸エステル、ショ糖脂肪酸エステル、樹脂酸エステル、ポリオキシアルキレン樹脂酸エステル、ポリオキシアルキレンアルキルエーテル、ポリオキシアルキレンアルキルフェニルエーテル、アルキル（ポリ）グリコシド、ポリオキシアルキレンアルキル（ポリ）グリコシド等が挙げられる。好ましくは、窒素原子を含まないエーテル基含有非イオン界面活性剤及びエステル基含有非イオン界面活性剤が挙げられる。
【００２２】
陰イオン界面活性剤としては、カルボン酸系、スルホン酸系、硫酸エステル系及びリン酸エステル系界面活性剤が挙げられるが、カルボン酸系及びリン酸エステル系界面活性剤が好ましい。カルボン酸系界面活性剤としては、例えば炭素数６〜３０の脂肪酸又はその塩、多価カルボン酸塩、ポリオキシアルキレンアルキルエーテルカルボン酸塩、ポリオキシアルキレンアルキルアミドエーテルカルボン酸塩、ロジン酸塩、ダイマー酸塩、ポリマー酸塩、トール油脂肪酸塩等が挙げられる。スルホン酸系界面活性剤としては、例えばアルキルベンゼンスルホン酸塩、アルキルスルホン酸塩、アルキルナフタレンスルホン酸塩、ナフタレンスルホン酸塩、ジフェニルエーテルスルホン酸塩、アルキルナフタレンスルホン酸の縮合物塩、ナフタレンスルホン酸の縮合物塩等が挙げられる。硫酸エステル系界面活性剤としては、例えばアルキル硫酸エステル塩、ポリオキシアルキレンアルキル硫酸エステル塩、ポリオキシアルキレンアルキルフェニルエーテル硫酸塩、トリスチレン化フェノール硫酸エステル塩、ポリオキシアルキレンジスチレン化フェノール硫酸エステル塩、アルキルポリグリコシド硫酸塩等が挙げられる。リン酸エステル系界面活性剤として、例えばアルキルリン酸エステル塩、アルキルフェニルリン酸エステル塩、ポリオキシアルキレンアルキルリン酸エステル塩、ポリオキシアルキレンアルキルフェニルリン酸エステル塩等が挙げられる。塩としては、例えば金属塩（Ｎａ、Ｋ、Ｃａ、Ｍｇ、Ｚｎ等）、アンモニウム塩、アルカノールアミン塩、脂肪族アミン塩等が挙げられる。
【００２３】
両性界面活性剤としては、アミノ酸系、ベタイン系、イミダゾリン系、アミンオキサイド系が挙げられる。アミノ酸系としては、例えばアシルアミノ酸塩、アシルサルコシン酸塩、アシロイルメチルアミノプロピオン酸塩、アルキルアミノプロピオン酸塩、アシルアミドエチルヒドロキシエチルメチルカルボン酸塩等が挙げられる。ベタイン系としては、アルキルジメチルベタイン、アルキルヒドロキシエチルベタイン、アシルアミドプロピルヒドロキシプロピルアンモニアスルホベタイン、アシルアミドプロピルヒドロキシプロピルアンモニアスルホベタイン、リシノレイン酸アミドプロピルジメチルカルボキシメチルアンモニアベタイン等が挙げられる。イミダゾリン系としては、アルキルカルボキシメチルヒドロキシエチルイミダゾリニウムベタイン、アルキルエトキシカルボキシメチルイミダゾリウムベタイン等が挙げられる。アミンオキサイド系としては、アルキルジメチルアミンオキサイド、アルキルジエタノールアミンオキサイド、アルキルアミドプロピルアミンオキサイド等が挙げられる。
【００２４】
また、本発明の衣料用粉末洗浄剤組成物には、任意成分として従来より洗剤に配合することが知られている成分を配合することができる。このような任意成分として、（１）ポリビニルピロリドン等の色移り防止剤、（２）アミラーゼ、プロテアーゼ、リパーゼ、セルラーゼ等の酵素、（３）塩化カルシウム、ギ酸、ホウ酸（ホウ素化合物）等の酵素安定化剤、（４）蛍光染料、（５）柔軟性付与を目的としたシリコーン、（６）消泡剤としてのシリカ、シリコーン、（７）酸化防止剤、（８）そのほかに青味付け剤、香料、抗菌防腐剤等が挙げられる。
【００２５】
本発明の洗浄剤組成物の形態は粉末であり、嵩密度は０．５〜１ｇ／ｃｍ3であることが好ましい。
【００２６】
本発明の衣料用粉末洗浄剤組成物は、水に溶解・分散させた洗浄液、好ましくは（Ａ）、（Ｂ）、（Ｃ）、（Ｄ）成分の合計含有量〔（Ａ）＋（Ｂ）＋（Ｃ）＋（Ｄ）〕が０．０５〜１重量％である洗浄液として衣料の洗浄に用いられる。すなわち、該洗浄液は２０℃でのｐＨが１０以上、更に１０．５〜１２であることが好ましく、この範囲のｐＨとなるように（Ｃ）成分の量を調整することが好ましい。なお、ｐＨは洗浄時の温度においても上記範囲であることが好ましい。
【実施例】
【００２７】
表１に示す粉末洗浄剤組成物を用いて以下の評価を行った。結果を表１に示す。
【００２８】
（１）洗浄性
１０ｃｍ×１０ｃｍの木綿布に、モデル皮脂汚れ（組成：綿実油６０重量％、オレイン酸１０重量％、パルミチン酸１０重量％、固形パラフィン１０重量％、流動パラフィン１０重量％）を２ｇ均一に塗布し、皮脂汚れ汚染布を調製した。この皮脂汚れ汚染布を、表１に示す組成物を０．１重量％含有する洗浄液（残部は６°ＤＨの水）を用いて、上島製作所製ターゴトメーター（ＭＳ−８２１０）により洗浄（５０℃×１５分間）し、洗浄前後の布の反射率を測定（測定波長５５０ｎｍ）して次式により洗浄率を算出した。結果を表１に示す。
【００２９】
【数１】
2006306969.tif 000004
【００３０】
（２）漂白性
下記方法で調製されたカレー汚染布を、表１に示す組成物を０．１重量％含有する洗浄液（残部は６°ＤＨの水）を用いて、上島製作所製ターゴトメーター（ＭＳ−８２１０）により洗浄（５０℃×１５分間）し、洗浄前後の布の反射率を測定（測定波長５５０ｎｍ）して次式により洗浄率を算出した。結果を表１に示す。
【００３１】
【数２】
2006306969.tif 000005
【００３２】
＊カレー汚染布の調製方法
市販のレトルトカレーを９５℃１０分間加熱後、ざるにてろ過し、そのろ過後の液に１０ｃｍ×１０ｃｍの木綿布を浸し、１０分間加熱した。その後半日放置後液より布を取り出し、余分な液を取り除いて自然乾燥した。
【００３３】
（３）低起泡性
表１に示す組成物を０．１重量％含有する洗浄液（残部は６°ＤＨの水）３０ｍｌを試験管（長さ２５ｍｍ、内径３０ｍｍ）に入れ、５０℃に維持する。５０℃になったのを確認後、２０回振とうし１０秒後の泡立ち高さを測定し、以下の基準で評価した。
◎：泡量が非常に少ない（泡立ち高さ１０ｍｍ未満）
○：泡量が少ない（泡立ち高さ１０ｍｍ以上５０ｍｍ未満）
△：泡量が普通（泡立ち高さ５０ｍｍ以上１００ｍｍ未満）
×：泡量が多い（泡立ち高さ１００ｍｍ以上）
【００３４】
（４）保存安定性
表１に示す組成物を４０℃、８０％ＲＨの恒温室に１４日間保存し、保存前後の該組成物中の有効酸素量を測定し、次式により有効酸素残存率を算出した。
【００３５】
【数３】
2006306969.tif 000006
【００３６】
【表１】
2006306969.tif 000007
【００３７】
表１中の成分は以下のものである。
＊ＥＤＴＡ・４Ｎａ：エチレンジアミンテトラ酢酸４ナトリウム塩
＊ＮＴＡ・３Ｎａ：ニトリロトリ酢酸３ナトリウム塩
＊非イオン性界面活性剤（１）：一般式（Ｉ）中のＲ1が平均炭素数１２のアルキル基、ｐが５、ｑが４．５、ｒが５の非イオン性界面活性剤
＊非イオン性界面活性剤（２）：一般式（Ｉ）中のＲ1が平均炭素数１２のアルキル基、ｐが５、ｑが１．５、ｒが５の非イオン性界面活性剤
＊非イオン性界面活性剤（３）：ポリオキシエチレンラウリルエーテル（商品名エマルゲン１０８、花王株式会社）
＊非イオン性界面活性剤（４）：第２級高級アルコールエトキシレート（商品名ソフタノール７０、株式会社日本触媒）